(57)【要約】【課題】内枠の軸部を適切に軸支する。【解決手段】本実施形態例に係るパチンコ機（遊技機）Ｐでは、内枠ユニット８０の第１ピン８１ａが、外枠ユニット（外枠部材）７０の外枠ガイド（突出部）７３だけでなく、突出板（突出部）７１ｂの第１溝部（ガイド孔）７１０ｂにも挿入する案内がされた際に軸支されるようになっている。また、突出板７１ｂの上面Ｓ１は外枠１の上面１ａよりも一段低い位置に配置されており、前述のように軸支されている第１ピン８１の上端が外枠１の上面１ａよりも下方に配置可能となっている。また、第１ピン８１ａの上端部には、第１溝部７１０ｂの溝幅よりも大きい第１鍔部８１０ａが形成されている。さらに、前扉板９０の第２ピン９１ａは、内枠ガイド８４だけでなく、第２内枠板８２の第２溝部８２ａにも挿入する案内がされた際に軸支されるようになっている。【選択図】図９
2020162939.tif 000002
【特許請求の範囲】
【請求項１】
遊技場に設置される外枠と、
前記外枠に対して開閉自在な軸支の状態とさせるための軸部を有する内枠と、
前記外枠の上部に取り付けられる外枠部材と、を備え、
前記外枠部材は、前記外枠の前面側に突出し、該外枠の上面よりも一段低い上面が形成された突出部を有しており、
前記突出部は、前記軸支の状態とされた前記軸部の上端を前記外枠の上面よりも下方に配置可能とする、ことを特徴とする遊技機。
【請求項２】
前記突出部には、前記軸部を受け入れ可能な開口を有する支持部材が含まれており、
前記外枠部材は、前記突出部の上面よりも高く、前記外枠の上面と略面一になるように配置される基部を有しており、
前記突出部は、前記基部から延出するように設けられるとともに前記軸部を案内可能なガイド孔を有しており、
前記軸部は、前記ガイド孔と前記支持部材の前記開口に案内されることに基づいて前記軸支の状態とされる、ことを特徴とする請求項１に記載の遊技機。
【発明の詳細な説明】
【技術分野】
【０００１】
本発明は、前扉が内枠に対して開閉自在に取り付けられるとともに、内枠が外枠に対して開閉自在に取り付けられる遊技機に関する。
【背景技術】
【０００２】
一般的に遊技機は、遊技場の島設備に設置される外枠と、この外枠に対して開閉自在に取り付けられる内枠と、この内枠に対して開閉自在に取り付けられる前扉とを備えている。例えば特許文献１に記載の遊技機では、外枠の左側枠部に上側軸受け体と下側軸受け体とが固着されており、内枠の左側枠部の上端に上側内枠軸（軸部）が設けられ、内枠の左側枠部の下端に下側内枠孔が設けられている。上側軸受け体は、外枠の上面に取り付けられる外枠板と、上側内枠軸を支持するための凹部が形成された支持部材とを有している。外枠板は、前面側に突出する突出部を有しており、この突出部の下面側に支持部材が取り付けられている。また、下側軸受け体は、内枠の下側内枠孔に挿入可能な下側軸部を有している。この下側軸部を下側内枠孔に挿入した状態で、上側軸受け体の側方から支持部材の凹部へと上側内枠軸を挿入し、この上側内枠軸を支持部材によって支持することにより、内枠を外枠に対して開閉自在に取り付けることができる。
【先行技術文献】
【特許文献】
【０００３】
【特許文献１】特開２００２−３３１１３５号公報
【発明の概要】
【発明が解決しようとする課題】
【０００４】
しかしながら、昨今、内枠や前扉の重量が重くなる傾向があり、上記した遊技機のように支持部材だけで内枠の軸部を支持している場合、軸部から支持部材に加わる力が従来よりも大きくなり、それに伴って支持部材にかかる負担が大きくなる。そのため、内枠の軸部を支持する支持強度の低下を促してしまい、軸部を適切に軸支することができなくなる。
【０００５】
本発明は、上記した実情に鑑みてなされたものであり、その目的は、内枠の軸部を適切に軸支することができる遊技機を提供することにある。
【課題を解決するための手段】
【０００６】
上記の課題を解決するため、本発明は、遊技場に設置される外枠と、前記外枠に対して開閉自在な軸支の状態とさせるための軸部を有する内枠と、前記外枠の上部に取り付けられる外枠部材と、を備え、前記外枠部材は、前記外枠の前面側に突出し、該外枠の上面よりも一段低い上面が形成された突出部を有しており、前記突出部は、前記軸支の状態とされた前記軸部の上端を前記外枠の上面よりも下方に配置可能とする、ことを特徴とする。
【０００７】
また、上記構成において、本発明は、前記突出部には、前記軸部を受け入れ可能な開口を有する支持部材が含まれており、前記外枠部材は、前記突出部の上面よりも高く、前記外枠の上面と略面一になるように配置される基部を有しており、前記突出部は、前記基部から延出するように設けられるとともに前記軸部を案内可能なガイド孔を有しており、前記軸部は、前記ガイド孔と前記支持部材の前記開口に案内されることに基づいて前記軸支の状態とされる、ことを特徴とする。
【発明の効果】
【０００８】
本発明によると、内枠の軸部を適切に軸支することができる。
【図面の簡単な説明】
【０００９】
【図１】本実施形態例に係るパチンコ機の正面図である。
【図２】図１に示すパチンコ機の斜視図である。
【図３】図１に示すパチンコ機の前扉を開放した状態を示す斜視図である。
【図４】図１に示すパチンコ機の背面図である。
【図５】（ａ）は図１に示すパチンコ機の左側部の上端に設けられた第１ヒンジ機構および第２ヒンジ機構の斜視図であり、（ｂ）は同第１ヒンジ機構および第２ヒンジ機構の正面図である。
【図６】図５に示す第１ヒンジ機構および第２ヒンジ機構を構成する外枠ユニット、内枠ユニットおよび前扉板の組立斜視図である。
【図７】図６に示す外枠ユニットの分解斜視図である。
【図８】図６に示す内枠ユニットの分解斜視図である。
【図９】図５（ｂ）のＡ−Ａ線断面図である。
【発明を実施するための形態】
【００１０】
発明の実施の形態について図面を参照して説明すると、図１，２に示すように、本発明の実施形態例に係るパチンコ機（遊技機）Ｐは、遊技場の島設備に設置される縦長方形状の外枠１と、外枠１に扉状に開閉自在に取り付けられる内枠２と、内枠２の前面に扉状に開閉自在に取り付けられる前扉３等を備えている。内枠２は後述する遊技盤（図３参照）を保持しており、前扉３はガラスやプラスチック等からなる透明板４を保持している。
【００１１】
外枠１の左側枠部には、上側軸受け体７０と下側軸受け体１００が固着されている。一方、内枠２の左側枠部には、上側支持部材８０と下側支持部材１０１が固着されている。そして、上側支持部材８０には、第１ピン８１ａ（例えば図６参照）が設けられており、下側支持部材１０１には、第１孔（図示せず）が設けられている。下側軸受け体１００には、この第１孔に挿入可能な第１軸部（図示せず）が設けられており、この第１軸部を第１孔に挿入して軸支するとともに、上側支持部材８０の第１ピン８１ａを上側軸受け体７０に軸支することによって、内枠２を外枠１に対して開閉自在に支持する第１ヒンジ機構が構成されている。なお、この上側軸受け体７０は、複数の構成部材によって組み立てられ、１つのユニットを構成した状態で外枠１に取り付けられるので（図７参照）、以下においては、この上側軸受け体７０を「外枠ユニット７０」と言う。第１ヒンジ機構の詳細については後述する。
【００１２】
内枠２の右側枠部は第１ヒンジ機構と反対側の自由端側であり、この右側枠部にはシリンダ錠５が設けられている。図示は省略されているが、内枠２の右側面にはシリンダ錠５を有する施錠装置が設置されている。この施錠装置は、内枠２の裏面側に突出する後部施錠杆と、内枠２の前面側に突出する前部施錠杆とを備えている。常態では、施錠装置の後部施錠杆によって外枠１に対して内枠２が施錠されるとともに、前部施錠杆によって内枠２に対して前扉３が施錠されている。シリンダ錠５の鍵穴に図示せぬ鍵を差し込んでこれを一方向（例えば時計回り）へ回動すると、後部施錠杆が下動して内枠２が開錠されるようになっている。また、シリンダ錠５の鍵穴に差し込んだ鍵を他方向（反時計回り）へ回動すると、前部施錠杆が上動して前扉３が開錠されるようになっている。
【００１３】
前扉３の左側枠部の上端には、第２ピン９１ａ（例えば図６参照）が設けられており、前扉３の左側枠部の下端には、第２孔（図示せず）が設けられている。内枠２の下側支持部材１０１には、この第２孔に挿入可能な第２軸部（図示せず）が設けられており、この第２軸部を第２孔に挿入して軸支するとともに、第２ピン９１ａを上側支持部材８０に軸支することによって、前扉３を内枠２の左側枠部に対して開閉自在に支持する第２ヒンジ機構が構成されている。なお、この上側支持部材８０は、複数の構成部材によって組み立てられ、１つのユニットを構成した状態で内枠２に取り付けられるので（図８参照）、以下においては、この上側支持部材８０を「内枠ユニット８０」と言う。第２ヒンジ機構の詳細については後述する。
【００１４】
図３に示すように、内枠２の上部内側には遊技盤６が収納されており、この遊技盤６は遊技球が流下する遊技領域（不図示）を有している。遊技領域は、ガイドレール６１等によって略円形状に区画されているとともに、透明板４を透して目視可能となっている。なお、遊技領域には、遊技球の入球が大当たり抽選の実行契機となる始動入賞口、遊技球の入球が所定個数の賞球の払い出し契機となる一般入賞口、遊技領域の下部に流下してきた遊技球を外部に排出するアウト口等が設けられている。また、遊技盤６よりも下方の内枠２には、遊技球を遊技領域に向けて発射する発射装置４０等が設けられている。また、前扉３の背面側には、発射装置４０に対して遊技球を供給する球供給装置４２等が設けられている。
【００１５】
図１，２に戻り、前扉３は中央に開口部３０を有しており、この開口部３０を塞ぐように透明板４が取り付けられている。前扉３には、透明板４の下方に遊技球を収容可能な受皿１０が設けられており、シリンダ錠５の下方に遊技球の発射操作を行うための操作ハンドル１１が設けられている。また、前扉３には、透明板４の上方から左右側方にかかる部位を囲むように装飾ユニット１２が設けられ、受皿１０の前面中央に演出操作ボタンユニット１３が設けられている。
【００１６】
図４に示すように、このパチンコ機Ｐの背面側には、遊技に関する主要な処理を行う主制御基板１８と、主制御基板１８からの指令を受けてスピーカ１７ａ〜１７ｄ等の各種演出装置を制御する副制御基板１９と、賞球を受皿１０に払い出す賞球払出装置２０と、主制御基板１８からの指令を受けて賞球払出装置２０を制御する払出制御基板２１と、操作ハンドル１１の回転操作量に応じて発射装置４０の作動を制御する発射制御基板２２と、大当たり回数等の各種情報を遊技場のホールコンピュータに出力する外部端子基板２３等が設けられている。主制御基板１８には、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されており、このＣＰＵがＲＯＭに格納された各種プログラムやデータを読み込んで実行することにより、遊技に関する主要な処理が行われる。
【００１７】
次に、図５〜９を参照して、上記した第１ヒンジ機構および第２ヒンジ機構の詳細について説明する。なお、前述したように、第１ヒンジ機構は外枠１と内枠２の左側部の上下両端に設けられており、第２ヒンジ機構は内枠２と前扉３の左側部の上下両端に設けられているが、以下においては、外枠１と内枠２の左側部の上端に設けられている第１ヒンジ機構Ｈ１と、内枠２と前扉３の左側部の上端に設けられている第２ヒンジ機構Ｈ２について説明する。
【００１８】
図６に示すように、第１ヒンジ機構Ｈ１は、外枠１の上部に取り付けられる外枠ユニット（外枠部材）７０と、内枠２の上部に取り付けられる内枠ユニット８０の第１内枠板８１とによって構成されており、第２ヒンジ機構Ｈ２は、内枠ユニット８０と前扉３の上部に取り付けられる前扉板９０とによって構成されている。図５（ａ），（ｂ）に示すように、内枠ユニット８０は、外枠ユニット７０と前扉板９０との間に配置されている。この内枠ユニット８０は、第１ピン８１ａを介して外枠ユニット７０に回動可能に連結されている。また、前扉板９０は、第２ピン９１ａを介して内枠ユニット８０に回動可能に連結されている。
【００１９】
図７に示すように、外枠ユニット７０は、外枠１に取り付けられる外枠板７１と、この外枠板７１に取り付けられる外枠レバー７２および外枠ガイド７３とを備えている。外枠ユニット７０は、これら外枠板７１、外枠レバー７２および外枠ガイド７３が組み合わされて１つのユニットになっている。
【００２０】
外枠板７１は、金属製であり、基板（基部）７１ａと、外枠１の前面側に突出するように設けられる突出板（突出部）７１ｂとを有している。基板７１ａは、外枠１の左側部の上端に取り付けられる。突出板７１ｂは、下面側に外枠レバー７２および外枠ガイド７３を取付可能になっている。外枠レバー７２および外枠ガイド（突出部）７３が突出板７１ｂに取り付けられた状態では、これら外枠レバー７２および外枠ガイド７３もまた外枠１の前面側に突出するようになっている。また、この突出板７１ｂには、切欠き形状の第１溝部（ガイド孔）７１０ｂが形成されている。この第１溝部７１０ｂは、内枠ユニット８０の第１ピン（軸部）８１ａ（図６等参照）をガイド可能に略Ｌ字状に形成されている。第１ピン８１ａは、第１溝部７１０ｂに沿って挿入されると、第１溝部７１０ｂの最奥部である軸受部分７１１ｂに配置されて支持されるようになっている。なお、基板７１ａと突出板７１ｂとの位置関係の詳細については後述する。
【００２１】
外枠レバー７２は、樹脂製であり、孔部が形成された円筒状の第１円筒部７２ａを有している。そして、この第１円筒部７２ａにカシメピン７４が挿入されることにより、外枠レバー７２が上記した突出板７１ｂの下面側に取り付けられている。また、この第１円筒部７２ａにトーションばね（捩じりコイルばね）からなる第１バネ部材７５が巻回されており、この第１バネ部材７５の両腕部を外枠レバー７２と突出板７１ｂに掛止めすることにより、外枠レバー７２はカシメピン７４を回転軸として反時計回りに付勢された状態になっている。
【００２２】
外枠ガイド７３は、樹脂製であり、右側部から所定形状に切り抜かれた第１収納部７３ａを有している。この第１収納部７３ａは、内枠ユニット８０の第１ピン８１ａを受け入れ可能な第１開口（開口）７３０ａを有しており、この第１開口７３０ａを通して第１ピン８１ａを挿入可能になっている。また、この第１収納部７３ａは、突出板７１ｂの第１溝部７１０ｂの軸受部分（最奥部）７１１ｂに対応した形状となるように凹状に窪んだ第１凹部７３ｂを有している。この第１凹部７３ｂは、左右方向から第１溝部７１０ｂの略Ｌ形状に沿って挿入することで案内された第１ピン８１ａを収納して軸支をするようになっている。第１ピン８１ａは、上下方向に貫通する外枠板７１の第１溝部７１０ｂ（の最奥部７１１ｂ）および外枠ガイド７３（の第１凹部７３ｂ）の双方を上下方向に重畳配置することで形成される二層ガイド孔内に受け入れさせたときに、平面視略Ｌ字型の溝状となる二層ガイド孔の特定部位（最奥部７１１ｂ）に案内されて軸支される保持状態となるようにしている。なお、図７に示すように、外枠ガイド７３の第１凹部７３ｂの溝幅Ｌ１は、第１溝部７１０ｂの最奥部７１１ｂの溝幅Ｌ１と略同じになるように設定されている。
【００２３】
また、外枠ガイド７３は、第１収納部７３ａ内に外枠レバー７２の一部を収納した状態で、上記した突出板７１ｂの下面側にカシメピンによって取り付けられている。このとき、外枠レバー７２の一端部７２ｂは、第１バネ部材７５の付勢力を受けた状態で、第１収納部７３ａの外側に配置されて外枠ガイド７３の端部７３ｃに当接している。そのため、外枠レバー７２は、常態では反時計回りに回転できないようになっている。一方、外枠レバー７２の他端部７２ｃは、第１凹部７３ｂ内の第１ピン８１ａと対向するように配置されており、第１凹部７３ｂとの間で第１ピン８１ａを挟み込んでいる。このようにして、外枠レバー７２は、第１ピン８１ａが第１溝部７１０ｂおよび第１凹部７３ｂから抜け出さないようにロックしている。なお、外枠レバー７２を第１バネ部材７５の付勢力に抗して時計回りに回転させると、外枠レバー７２の他端部７２ｃも時計回りに回転して第１収納部７３ａの内壁に当接するようになっている。このとき、外枠レバー７２の他端部７２ｃは、第１凹部７３ｂ内の第１ピン８１ａと対向しないように逃げて、外枠レバー７２によるロックを解除可能になる。
【００２４】
図８に示すように、内枠ユニット８０は、内枠２の左上部に取り付けられる第１内枠板８１と、この第１内枠板８１に取り付けられる第２内枠板８２、内枠レバー８３、内枠ガイド８４とを備えている。内枠ユニット８０は、これら第１内枠板８１、第２内枠板８２、内枠レバー８３、および内枠ガイド８４が組み合わされて１つのユニットになっている。
【００２５】
第１内枠板８１は、金属製であり、上方に突出している第１ピン８１ａが設けられた取付板８１ｂを有している。この取付板８１ｂは、内枠２の前面側に突出するように設けられるとともに下面側に第２内枠板８２、内枠レバー８３および内枠ガイド８４を取付可能になっている。第２内枠板８２、内枠レバー８３および内枠ガイド８４が取付板８１ｂに取り付けられた状態では、これら第２内枠板８２、内枠レバー８３および内枠ガイド８４もまた内枠２の前面側に突出するようになっている。また、第１ピン８１ａは上記した突出板７１ｂの第１溝部７１０ｂ（図７参照）に挿入可能になっており、この第１ピン８１ａの上端部には第１鍔部８１０ａが形成されている。この第１鍔部８１０ａは、突出板７１ｂの第１溝部（ガイド孔）７１０ｂの溝幅よりも大きくなるように設定されている。なお、第１内枠板８１は、内枠２の背面に取り付けられる第１内枠取付板８１ｃおよび第２内枠取付板８１ｄを有しており、これら両取付板８１ｃ，８１ｄによって内枠２を保持するようになっている。
【００２６】
第２内枠板８２は、金属製であり、切欠き形状の第２溝部８２ａが形成されている。この第２溝部８２ａは、前扉板９０の第２ピン９１ａ（図６等参照）をガイド可能に略Ｌ字状に形成されている。第２ピン９１ａは、第２溝部８２ａに沿って挿入されると、第２溝部８２ａの最奥部である軸受部分８２ｂに配置されて支持されるようになっている。この第２内枠板８２は、その上面に内枠レバー８３と内枠ガイド８４を載置した状態で第１内枠板８１に取付可能になっている。
【００２７】
内枠レバー８３は、樹脂製であり、孔部が形成された円筒状の第２円筒部８３ａを有している。そして、この第２円筒部８３ａにカシメピン８５が挿入されることにより、内枠レバー８３が第１内枠板８１の取付板８１ｂの下面側に取り付けられる。また、この第２円筒部８３ａにトーションばね（捩じりコイルばね）からなる第２バネ部材８６が巻回されており、この第２バネ部材８６の両腕部を内枠レバー８３と取付板８１ｂに掛止めすることにより、内枠レバー８３はカシメピン８５を回転軸として反時計回りに付勢された状態になっている。
【００２８】
内枠ガイド８４は、樹脂製であり、右側部から所定形状に切り抜かれた第２収納部８４ａを有している。この第２収納部８４ａは、前扉板９０の第２ピンを受け入れ可能な第２開口８４０ａを有しており、この第２開口８４０ａを通して第２ピン９１ａを挿入可能になっている。また、この第２収納部８４ａは、第２内枠板８２の第２溝部８２ａの軸受部分８２ｂに対応した形状となるように凹状に窪んだ第２凹部８４ｂを有している。この第２凹部８４ｂは、左右方向から第２溝部８２ａの略Ｌ形状に沿って挿入することで案内された第２ピン９１ａを収納して軸支するようになっている。第２ピン９１ａは、第２内枠板８２の第２溝部８２ａ（の最奥部８２ｂ）および内枠ガイド８４（の第２凹部８４ｂ）の双方を上下方向に重畳配置することで形成される二層ガイド孔内に受け入れさせたときに、平面視略Ｌ字型の溝状となる二層ガイド孔の特定部位（最奥部８２ｂ）に案内されて軸支される保持状態となるようにしている。なお、内枠ガイド８４の第２凹部８４ｂの溝幅は、第２溝部８２ａの溝幅よりも大きく設定されてもよいし、略同じになるように設定されていてもよい。
【００２９】
また、内枠ガイド８４は、この第２収納部８４ａ内に内枠レバー８３の一部を収納した状態で第２内枠板８２上に配置されて、上記した取付板８１ｂの下面側にカシメピンによって取り付けられている。このとき、内枠レバー８３の一端部８３ｂは、第２バネ部材８６の付勢力を受けた状態で、第２収納部８４ａの外側に配置されて内枠ガイド８４の端部８４ｃに当接している。そのため、内枠レバー８３は、常態では反時計回りに回転できないようになっている。一方、内枠レバー８３の他端部８３ｃは、第２凹部８４ｂ内の第２ピン９１ａと対向するように配置されており、第２凹部８４ｂとの間で第２ピン９１ａを挟み込んでいる。このようにして、内枠レバー８３は、第２ピン９１ａが第２溝部８２ａおよび第２凹部８４ｂから抜け出さないようにロックしている。なお、内枠レバー８３を第２バネ部材８６の付勢力に抗して時計回りに回転させると、内枠レバー８３の他端部８３ｃも時計回りに回転して第２収納部８４ａの内壁に当接するようになる。このとき、内枠レバー８３の他端部８３ｃは、第２凹部８４ｂ内の第２ピン９１ａと対向しないように逃げて、内枠レバー８３によるロックを解除可能になる。
【００３０】
図６に戻り、前扉板９０は、金属製であり、上方に突出している第２ピン９１ａを有しており、この第２ピン９１ａは、第２内枠板８２の第２溝部８２ａ（図８等参照）に挿入可能となっている。また、この第２ピン９１ａの上端部には第２鍔部９１０ａが形成されている。この第２鍔部９１０ａは、第２内枠板８２の第２溝部８２ａの溝幅よりも大きくなるように設定されている。なお、前扉板９０は、前扉３の背面に取り付けれられる第１前扉取付板９１ｂおよび第２前扉取付板９１ｃを有しており、これら両取付板９１ｂ，９１ｃによって前扉３を保持するようになっている。
【００３１】
次に、図９を参照して、外枠ユニット７０の基板７１ａと突出板７１ｂとの位置関係について説明する。基板７１ａは、外枠１の上面１ａと略面一となるように配置されている（図１〜３参照）。突出板７１ｂは、基板７１ａに対して下方に設けられており、基板７１ａの上面Ｓ２または外枠１の上面１ａよりも一段低い上面Ｓ１を有している。具体的には、基板７１ａと突出板７１ｂとを連結する傾斜板７１ｃが設けられており、この傾斜板７１ｃは基板７１ａから突出板７１ｂに向かって下方傾斜している。そして、この傾斜板７１ｃの後端部が基板７１ａの前端部に連結されているとともに、この傾斜板７１ｃの前端部が突出板７１ｂの後端部に連結されており（図７参照）、突出板７１ｂは、基板７１ａから傾斜板７１ｃを介して下方に滑らかに下がっていくように外枠１の前面側に向かって延出されている。そのため、第１ピン８１ａが軸支された状態で突出板７１ｂの上面Ｓ１から突出しても、図９の点線Ｌで示すように、この突出した第１ピン８１ａの上端は外枠１の上面１ａ（基板７１ａの上面Ｓ２）よりも下方に配置可能となっている。このようにして、第１溝部７１０ａから突出した第１ピン８１ａが筐体の外部と接触することを回避できるようになっている。なお、第１ピン８１ａと第２ピン９１ａはともに、同一直線状に配置されている。
【００３２】
次に、外枠１に対する内枠２の取付方法について説明する。まず、内枠２の左側枠部の下側支持部材１０１の第１孔に外枠１の下側軸受け体１００の第１軸部を挿入して軸支させ、この状態で外枠ユニット７０の突出板７１ｂの右側方から第１溝部７１０ｂに沿って、内枠ユニット８０の第１ピン８１ａを挿入する（図６，７参照）。このとき、第１ピン８１ａによって、外枠レバー７２の他端部７２ｃを第１バネ部材７５による付勢力に抗して押し込んで時計回りに回転させ、第１ピン８１ａを第１溝部７１０ｂの軸受部分７１１ｂと外枠ガイド７３の第１凹部７３ｂ内に挿入する（図７参照）。その後、外枠レバー７２の他端部７２ｃは、第１バネ部材７５による付勢力により再び反時計回りに回転して元の位置（第１凹部７３ｂ内の第１ピン８１ａと対向する位置）に戻り、第１ピン８１ａを外枠レバー７２の他端部７２ｃと、第１溝部７１０ｂの軸受部分７１１ｂおよび第１凹部７３ｂとの間で挟み込んでロックする。そして、外枠レバー７２の一端部７２ｂは、外枠ガイド７３の端部７３ｃに再び当接して、ロック状態を維持することになる。このようにして、内枠２を外枠１に対して開閉自在に取り付けることができる。なお、内枠２を外枠１から取り外す際には、外枠レバー７２の一端部７２ｂを第１バネ部材７５の付勢力に抗して時計回りに回転させてロックを解除し、第１ピン８１ａを第１溝部７１０ｂに沿って抜き出し、下側軸受け体１００の第１軸部を下側支持部材１０１の第１孔から外すようにする。
【００３３】
次に、内枠２に対する前扉３の取付方法について説明する。まず、前扉３の左側枠部の下端に設けられた第２孔に内枠２の下側支持部材１０１の第２軸部を挿入して軸支させ、この状態で内枠ユニット８０の第２内枠板８２の右側方から第２溝部８２ａに沿って、前扉板９０の第２ピン９１ａを挿入する（図６，８参照）。このとき、第２ピン９１ａによって、内枠レバー８３の他端部８３ｃを第２バネ部材８６による付勢力に抗して押し込んで時計回りに回転させ、第２ピン９１ａを第２溝部８２ａの軸受部分８２ｂと内枠ガイド８４の第２凹部８４ｂ内に挿入する。その後、内枠レバー８３は第２バネ部材８６による付勢力により再び反時計回りに回転して元の位置（第２凹部８４ｂ内の第２ピン９１ａと対向する位置）に戻り、第２ピン９１ａを内枠レバー８３の他端部８３ｃと、第２溝部８２ａの軸受部分８２ｂおよび第２凹部８４ｂとの間で挟み込んでロックする。そして、内枠レバー８３の一端部８３ｂは、内枠ガイド８４の端部８４ｃに再び当接して、ロック状態を維持することになる。このようにして、前扉３を内枠２に対して開閉自在に取り付けることができる。なお、前扉３を内枠２から取り外す際には、内枠レバー８３の一端部８３ｂを第２バネ部材８６の付勢力に抗して時計回りに回転させてロックを解除し、第２ピン９１ａを第２溝部８２ａに沿って抜き出し、下側軸受け体１００の第２軸部を前扉３の第２孔から外すようにする。
【００３４】
以上説明したように、本実施形態例に係るパチンコ機（遊技機）Ｐでは、第１ピン（軸部）８１ａが外枠ガイド（突出部）７３だけでなく、外枠板７１の突出板（突出部）７１ｂ）の第１溝部（ガイド孔）７１０ａにも挿入する案内がされた際に軸支されるようになっている。したがって、当該案内に基づいて第１ピン８１ａを外枠ガイド７３と外枠板７１から構成される前述の二層ガイド孔の特定部位（最奥部７１１ｂ）に配置した際の支持強度の低下を抑制して、第１ピン８１ａを適切に軸支することができる。また、特に、突出板７１ｂは金属製であるので、樹脂製である外枠ガイド７３よりも強固な第１ピン８１ａの保持状態を可能とするように軸支することができるようになっている。
【００３５】
また、本実施形態例では、上記のように突出板７１ｂに第１溝部７１０ａが形成されているが、この突出板７１ｂは外枠１の基板７１ａに対して下方に一段低い位置に設けられている。そのため、前述のように軸支された状態で突出板７１ｂの上面Ｓ１（第１溝部７１０ｂ）から突出している第１ピン８１ａの上端が、外枠１の上面１ａ（基板７１ａの上面Ｓ２）よりも下方に配置されており、外枠１の上面１ａ（基板７１ａの上面Ｓ２）から突出しないようになっている。したがって、例えば、突出した第１ピン８１ａの上端が、筐体の輸送時に筐体を収納する収納箱を破損させたり、遊技場において筐体を設置する筐体設置枠と干渉してしまう等の問題が発生してしまうことを防止することができる。
【００３６】
また、本実施形態例では、第２ピン９１ａが内枠ガイド８４だけでなく、第２内枠板８２の第２溝部８２ａにも挿入する案内がされた際に軸支されるようになっている。したがって、当該案内に基づいて第２ピン９１ａを内枠ガイド８４と第２内枠板８２から構成される前述の二層ガイド孔の特定部位（最奥部８２ｂ）に配置した際の支持強度の低下を抑制して、第２ピン９１ａを適切に軸支することができる。また、特に、第２内枠板８２は金属製であるので、樹脂製である内枠ガイド８４よりも強固な第２ピン９１ａの保持状態を可能とするように軸支することができるようになっている。
【００３７】
また、本実施形態例では、第１ピン８１ａの上端部には該第１ピンの径、および外枠板７１の第１溝部（ガイド孔）７１０ｂの溝幅Ｌ１よりも一回り大きくした第１鍔部８１０ａが形成されている。そして、外枠ユニット７０における前述の上下方向に貫通する二層ガイド孔の横向き開口（入口）Ｅ１（図７参照）から第１ピン８１ａを挿入させる案内をしたときに、第１鍔部８１０ａの部分を第１溝部７１０ｂよりも突出させて、前述の軸支の状態において該第１ピン８１ａの上下方向の移動を規制可能としている。そのため、外枠ユニット７０の外枠板７１と内枠ユニット８０の第１内枠板８１との間に悪戯によって工具が差し込まれて抉られても、第１鍔部８１０ａが二層ガイド孔に係る第１溝部７１０ｂの周縁部に引っ掛かるようになっている。したがって、このような悪戯が行われても、外枠１から内枠２が外れることはなく、安全な仕様になっている。
【００３８】
また、本実施形態例では、第２ピン９１ａの上端部には該第２ピン９１ａの径、および内枠ガイド８４の第２凹部８４ｂの溝幅よりも一回り大きくした第２鍔部９１０ａが形成されている。そして、内枠ユニット８０における前述の上下方向に貫通する二層ガイド孔の横向き開口（入口）Ｅ２（図７参照）から第２ピン９１ａを挿入させる案内をしたときに、第２鍔部９１０ａの部分を第２内枠板８２の第２溝部８２ａおよび内枠ガイド８４の第２凹部８４ｂよりも突出させて、前述の軸支の状態において該第２ピン９１ａの上下方向の移動を規制可能としている。そのため、内枠ユニット８０の第２内枠板８２と前扉板９０との間に悪戯によって工具が差し込まれて抉られても、第２鍔部９１０ａが二層ガイド孔に係る第２凹部８４ｂまたは第２溝部８２ａの周縁部に引っ掛かるようになっている。したがって、このような悪戯が行われても、内枠２から前扉３が外れることはなく、安全な仕様になっている。
【００３９】
また、本実施形態例では、第１ピン８１ａと第２ピン９１ａは同一直線状に配置されているので、外枠１に対して内枠２を開閉する際に必要となる開閉軸周りのスペースと、内枠２に対して前扉３を開閉する際に必要となる開閉軸周りのスペースを別箇に確保する必要を無くすことができるので、効率的にパチンコ機Ｐの設計を行うことができる。
【００４０】
また、本実施形態例では、内枠ユニット８０の第１ピン８１ａを外枠ユニット７０の突出板７１ｂの第１溝部７１０ｂに沿って挿入するだけ、外枠ガイド７３および第１溝部７１０ｂによって第１ピン８１ａを支持するとともに、この第１ピン８１ａが第１溝部７１０ｂから抜けないように外枠レバー７２によってロックすることができる。したがって、内枠２の重量が重くなったとしても、内枠２を外枠１に容易に取り付けることができる。
【００４１】
また、本実施形態例では、前扉板９０の第２ピン９１ａを内枠ユニット８０の第２内枠板８２の第２溝部８２ａに沿って挿入するだけで、内枠ガイド８４および第２溝部８２ａによって第２ピン９１ａを支持するとともに、この第２ピン９１ａを内枠レバー８３によってロックすることができる。したがって、前扉３の重量が重くなったとしても、前扉３を内枠２に容易に取り付けることができる。
【００４２】
また、本実施形態例では、内枠ユニット８０は、第１内枠板８１の第１内枠取付板８１ｃと第２内枠取付板８１ｄとの双方によって、内枠２を保持するようになっている。そのため、内枠２の重量が重くなったとしても、内枠２を確実に保持することができる。
【００４３】
また、本実施形態例では、前扉板９０は、第１前扉取付板９１ｂと第２前扉取付板９１ｃとの双方によって、前扉３を保持するようになっている。そのため、前扉３の重量が重くなったとしても、前扉３を確実に保持することができる。
【００４４】
なお、上記実施形態例では、内枠ユニット８０の第１ピン８１ａを外枠ユニット７０における外枠板７１の第１溝部７１０ｂに沿って側方から挿入する構成であったが、これに限られない。例えば、突出板７１ｂの上面に第１ピンを上方から挿入するような構成であってもよい。この場合、第１ピンを第１内枠板８１の取付板８１ｂの下面側から下方に突出するように設け、突出板７１ｂとこの突出板７１ｂの下面側に取り付けられる支持部材の双方に、第１ピンを挿入可能な孔部を設け、突出板の孔部と支持部材の孔部の双方によって第１ピンを支持するようにすればよい。こうすれば、上記実施形態例と同様の効果を奏することができる。
【００４５】
また、上記実施形態例では、第１溝部７１０ｂおよび第２溝部８２ａはともに、略Ｌ字状に形成されていたが、これに限られることなく、種々の形状を採用することができる。例えば、第１溝部７１０ｂは外枠ユニット７０における突出板７１ｂの側部から円弧状に切欠くように形成され、第２溝部８２ａは内枠ユニット８０の第２内枠板８２の側部から円弧状に切欠くように形成されてもよい。
【００４６】
また、上記実施形態例では、前面側に下方傾斜する傾斜板７１ｃを介して、突出板７１ｂの上面Ｓ１が外枠１の上面１ａまたは基板７１ａの上面Ｓ２よりも低い位置に配置されるように構成されていたが、これに限られない。例えば、基板７１ａと突出板７１ｂとの間に傾斜していない垂直部を設けて、突出板７１ｂが、基板７１ａに対して段状に下方に下がるように構成されてもよい。この場合、基板７１ａの前端部と垂直部の上端部とを連結するとともに、突出板７１ｂの後端部と垂直部の下端部とを連結するようにすればよい。
【００４７】
また、上記実施形態例では、突出板７１ｂと外枠ガイド７３の２つの部材によって、本発明の突出部が構成される例について説明したが、これに限られない。例えば、突出部は、突出板７１ｂの機能および外枠ガイド７３の機能を有する１つの部材から構成されてもよい。
【符号の説明】
【００４８】
Ｐ    パチンコ機（遊技機）
１    外枠
２    内枠
７１  外枠ユニット（外枠部材）
７１ａ  基板（基部）
７１ｂ  突出板（突出部）
７３  外枠ガイド（突出部）
８１ａ  第１ピン（軸部）
【図１】
2020162939.tif 000003
【図２】
2020162939.tif 000004
【図３】
2020162939.tif 000005
【図４】
2020162939.tif 000006
【図５】
2020162939.tif 000007
【図６】
2020162939.tif 000008
【図７】
2020162939.tif 000009
【図８】
2020162939.tif 000010
【図９】
2020162939.tif 000011